(57)【要約】【課題】従来の握力測定装置における握力値データ保存の不便性を克服すると共に、被測定者の脚筋力データや転倒年齢データの演算を可能とした通信式握力計および脚筋力推定装置を提供する。【解決手段】握力測定手段１２と、当該握力測定手段１２が出力する握力値データを外部に送信する通信手段１６と、当該通信手段１６から送信された握力値データを非接触で受信するリーダライタ５６と、当該リーダライタ５６を介して握力値データを入力する情報処理手段５０とを備え、前記情報処理手段５０は脚筋力演算装置５３１と、転倒年齢演算手段５３２と、個人データを入力する個人データ入力手段とを具備している。【選択図】図１
2014221139.tif 000002
【特許請求の範囲】
【請求項１】
被測定者の握力を計測する握力測定手段と、当該握力測定手段が出力する握力値データを外部に送信する通信手段と、当該通信手段から送信された前記握力値データを受信するリーダライタと、前記リーダライタによって受信された前記握力値データを入力する情報処理手段とから構成され、被測定者の握力値データを無線で情報処理手段に入力し、情報処理手段に設けてある表示器に当該握力値データを表示できるようにしたことを特徴とする通信式握力計。
【請求項２】
被測定者の握力を計測する握力測定手段と、当該握力測定手段が出力する握力値データを外部に送信する通信手段と、当該通信手段から送信された前記握力値データを受信するリーダライタと、前記リーダライタによって受信された前記握力値データを入力する情報処理手段とを含み、前記情報処理手段は個人データを入力する個人データ入力手段と、脚筋力演算装置と、転倒年齢演算手段とを具備し、前記脚筋力演算装置は前記握力値データおよび前記個人データ入力手段から入力した個人データとから当該個人の最大脚伸展筋力／体重データを演算し、前記転倒年齢演算手段は前記脚筋力演算装置の出力と、前記個人データとから転倒する可能性が増加する年齢である転倒年齢データを演算するように構成したことを特徴とする脚筋力推定装置。
【請求項３】
前記通信手段はＩＳＯ／１ＥＣ１８０９２またはＩＳＯ／１ＥＣ１４４４３またはＩＳＯ／１ＥＣ１５６９３のいずれかに準拠したＮＦＣ（Ｎｅａｒ  Ｆｉｅｌｄ  Ｃｏｍｍｕｎｉｃａｔｉｏｎ）無線通信であることを特徴とする請求項１に記載の通信式握力計または請求項２に記載の脚筋力推定装置。
【請求項４】
前記個人データは、当該個人に特有な識別番号と、当該識別番号に関連付けられた前記個人の身長と、体重と、性別および年齢であることを特徴とする請求項２または請求項３に記載の脚筋力推定装置。
【請求項５】
前記個人データは、当該個人が所有する活動量計を前記リーダライタにかざすことで入力が可能としたことを特徴とする請求項２ないし請求項４のいずれか１項に記載の脚筋力推定装置。
【発明の詳細な説明】
【技術分野】
【０００１】
本発明は通信式握力計および当該通信式握力計による計測データから使用者の脚筋力に関連する情報を取得することができるようになした脚筋力推定装置に関する。
【背景技術】
【０００２】
握力計で計測したデータを効率よく収録し、被測定者の握力測定意欲を向上させることができるようになした握力測定装置に関する技術が下記の特許文献１に開示されている。
【０００３】
図５に基づき特許文献１に開示された従来技術の概略を説明する。
図５は特許文献１に開示された握力測定装置９の構成図であり、当該握力測定装置９は被測定者の握力値を検出する握力計１と、当該握力計１で検出される握力値を演算、制御する演算制御手段２と、表示手段３とから構成され、握力計１は、一定の間隔をもって並行に対向配置される一対の棒状部材からなるグリップ部１ａ，１ａと、グリップ部１ａ，１ａを構成する一対の棒状部材を連結する連結部１ｂとから構成されると共に、連結部１ｂに握力を測定するための歪みゲージ１ｃを付設し、演算制御手段２による演算結果を表示手段３で表示するようにしたものである。
【先行技術文献】
【特許文献】
【０００４】
【特許文献１】特開２０１１−１０４１０７
【発明の概要】
【発明が解決しようとする課題】
【０００５】
前記特許文献１の開示技術においては、握力計１による測定データは配線１ｄによって演算制御手段２に入力されるので、握力計１に配線１ｄが接続された状態で握力計１を操作せざるを得ず、測定上はなはだ不自由である。
【０００６】
また、上記従来技術によった場合は、高齢者等の弱握力者の握力を精度良く測定することができると共に、メンテナンスが容易で、被測定者の握力測定意欲を向上させることができるとしても、機能的には被測定者の握力を測定するだけの単調なものであり、当該握力計によって得られた握力に関するデータ等に基づいて被測定者の脚筋力を推定するといった機能は何ら具備していなかった。
【０００７】
そこで本発明は、上記した従来型握力測定装置の問題点を解決し、配線に邪魔されずに自由に握力計を操作でき、且つパソコンや情報処理手段に容易に握力値データを収録可能な通信式握力計を提供すると共に、当該握力計によって得られた握力値データと、使用者の身長、体重、年齢などの個人データから被測定者の脚筋力を演算して当該被測定者が転倒する可能性が増加する年齢である「転倒年齢」を液晶画面などに推定表示することができるようになした脚筋力推定装置を提供することを目的とするものである。
【課題を解決するための手段】
【０００８】
上記課題を解決するため、本発明に係る通信式握力計および脚筋力推定機能を具備した通信式握力計は下記記載の構成を採用する。
【０００９】
すなわち、請求項１に係る発明は、被測定者の握力を計測する握力測定手段と、当該握力測定手段が出力する握力値データを外部に送信する通信手段と、当該通信手段から送信された前記握力値データを受信するリーダライタと、前記リーダライタによって受信された前記握力値データを入力する情報処理手段とから構成され、被測定者の握力値データを無線で情報処理手段に入力し、情報処理手段に設けてある表示器に当該握力値データを表示できるようにしたことを特徴とする通信式握力計である。
【００１０】
請求項２に係る発明は、被測定者の握力を計測する握力測定手段と、当該握力測定手段が出力する握力値データを外部に送信する通信手段と、当該通信手段から送信された前記握力値データを受信するリーダライタと、前記リーダライタによって受信された前記握力値データを入力する情報処理手段とを含み、前記情報処理手段は個人データを入力する個人データ入力手段と、脚筋力演算装置と、転倒年齢演算手段とを具備し、前記脚筋力演算装置は前記握力値データおよび前記個人データ入力手段から入力した個人データとから当該個人の最大脚伸展筋力／体重データを演算し、前記転倒年齢演算手段は前記脚筋力演算装置の出力と、前記個人データとから転倒する可能性が増加する年齢である転倒年齢データを演算するように構成したことを特徴とする脚筋力推定装置である。
【００１１】
請求項３に係る発明は、前記通信手段はＩＳＯ／１ＥＣ１８０９２またはＩＳＯ／１ＥＣ１４４４３またはＩＳＯ／１ＥＣ１５６９３のいずれかに準拠したＮＦＣ（Ｎｅａｒ  Ｆｉｅｌｄ  Ｃｏｍｍｕｎｉｃａｔｉｏｎ）無線通信であることを特徴とする請求項１に記載の通信式握力計または請求項２に記載の脚筋力推定装置である。
【００１２】
さらに、請求項４に係る発明は、前記個人データは、当該個人に特有な識別番号と、当該識別番号に関連付けられた前記個人の身長と、体重と、性別および年齢であることを特徴とする請求項２または請求項３に記載の脚筋力推定装置である。
【００１３】
また、請求項５に係る発明は、前記個人データは、当該個人が所有する活動量計を前記リーダライタにかざすことで入力が可能としたことを特徴とする請求項２ないし請求項４のいずれかに記載の脚筋力推定装置である。
【発明の効果】
【００１４】
本発明に係る通信式握力計によれば、握力値データを容易且つ正確に、しかも短時間で情報処理手段に送信することが可能であり、従来のように配線に邪魔されずに握力計を操作することができる。
【００１５】
また、本発明に係る脚筋力推定装置によった場合は、最大脚筋伸展筋力／体重を知ることができるので、この数値によっては歩行運動を控え、脚筋力トレーニングを実施した方がベターである等、安全に運動を実施することができるようになる。また、下肢筋力の推測ができることで転倒に直結する対象者のスクリーニングに使用できるし、下肢筋力の推測ができることで健康教室などの際に、運動トレーニングの必要性を啓蒙することができる。
【図面の簡単な説明】
【００１６】
【図１】本発明に係る通信式握力計および脚筋力推定装置の構成を示すブロック図である。
【図２】本発明に係る通信式握力計の外観構成を示す平面図である。
【図３】本発明に係る通信式握力計および脚筋力推定装置の構成を示す外観図である。
【図４】本発明に係る脚筋力推定装置における情報処理手段の表示例を示す外観図ある。
【図５】従来の握力測定装置の概要を示す構成図である。
【発明を実施するための形態】
【００１７】
本発明に係る握力計は、無線通信の国際規格であるＮＦＣ（Ｎｅａｒ  Ｆｉｅｌｄ  Ｃｏｍｍｕｎｉｃａｔｉｏｎ）に基づく非接触近距離通信技術を用いて、握力計で測定された握力値データを容易にパソコン等の情報処理装置に送信し、さらにパソコン等の情報処理端末で脚筋力データや転倒年齢データを演算して健康管理を便利に行えるようにしたものである。
【００１８】
以下、図１から図４を用いて本発明の通信式握力計および脚筋力推定装置の具体的構成を詳述する。
【００１９】
図１は、本発明による通信式握力計および脚筋力推定装置の構成を示すブロック図である。
図１に示すように、通信式握力計および脚筋力推定装置１００は、通信式握力計１０と、情報処理手段５０と、情報処理手段５０に接続されたリーダライタ５６とから構成され、さらに通信式握力計１０は、握力測定手段１２と、メモリ１４および通信手段１６とを備えている。
なお、リーダライタ５６は置台６０の中に収納されている。
【００２０】
握力測定手段１２は掌を握った際に発生する力を歪みゲージの変位から電気信号に変換するもの、すなわちゲージの変位による歪みを電気抵抗の変化に置き換え、さらにその電気抵抗の変化を電圧の変化に置き換えて荷重（握力）を電気信号として出力するもので、一般にロードセルとして知られているものであるから詳細な説明は省略する。
【００２１】
また、メモリ１４は複数の握力値データを記憶する不揮発記憶素子であり、通信手段１６はたとえばフェリカプラグ（Ｆｅｌｉｃａ  Ｐｌｕｇ：登録商標）として知られる通信コイル基板と通信回路基板から構成される通信用集積回路モジュールであり、一般的であるから詳細な説明は省略する。
【００２２】
情報処理手段５０は表示器５２と、データ処理手段５３と、入力手段としてのキーボード５４とを具備している。また、データ処理手段５３は脚筋力演算装置５３１と、転倒年齢演算手段５３２とを具備している。
なお、情報処理手段５０はたとえばパソコンや、スマートフォンまたはパッド型情報処理手段を用いることができる。
【００２３】
リーダライタ５６は通信式握力計１０における通信手段１６と信号の送受信を行う。リーダライタ５６は、図３に示すように使用者が通信式握力計１０を簡便に載置できるように作成した置台６０の内部に収納されている。なお、図１において、通信式握力計１０とリーダライタ５６との通信に使用する通信用磁界をＷで示してある。
【００２４】
図２は、本発明に係る通信式握力計および脚筋力推定装置１００における通信式握力計１０の平面図である。図２において、通信式握力計１０は、握力測定手段１２と、可動ハンドル１３と、固定ハンドル１５と、通信手段１６と、電池１８とから構成され、握力測定手段１２はさらに握力表示器１２１と、操作スイッチ１２２を備えている。なお、メモリ１４は握力測定手段１２の中に格納されている。
【００２５】
また、通信手段１６は通信式握力計１０の握力表示器１２１近くの底部に収納されていると共に、電池１８は通信手段１６と反対側の底部に交換可能に収納されている。操作スイッチ１２２は通信式握力計１０の電源をオンオフするスイッチと、メモリ１４にデータを記憶するスイッチである。可動ハンドル１３と、固定ハンドル１５とは握力を測定する際のハンドルであり、詳細は後述する。
【００２６】
次に、図２および図３を用いて通信式握力計および脚筋力推定装置１００の動作を説明する。図３は、本発明による通信式握力計１０と、リーダライタ５６を収納した置台６０と、情報処理手段５０とで構成した全体の構成を示す外観図である。
【００２７】
使用者は、親指を図２に示す通信式握力計１０の固定ハンドル１５にかけ、他の４本の指を可動ハンドル１３にかけ、指に力を入れて可動ハンドル１３と固定ハンドル１５を握る。使用者が指を緩めると握力値データが図２に示す握力表示器１２１に表示される。
なお、通信式握力計１０の下部には通信式握力計凸部１９を突設してあり、使用者は通信式握力計１０の当該凸部１９が置台６０の上面に設けてある置台凹部６２内に嵌合するようにして通信式握力計１０を置台６０の上面に載置する。
【００２８】
上記のようにして通信式握力計１０が置台６０に載置されると通信式握力計１０の通信手段１６と、置台６０に収納されたリーダライタ５６とが通信を開始し、通信式握力計１０から握力値データが通信用磁界ｗを通じてリーダライタ５６に送信され、情報処理手段５０がこれを入力する。
【００２９】
情報処理手段５０は握力値データを入力し、予めキーボード５４を通じて情報処理手段５０に入力されていた使用者の個人識別番号から使用者の身長、体重、年齢、性別などの個人データを参照し、これらのデータ群から情報処理手段５０が備えるデータ処理手段５３における脚筋力演算装置５３１によってその個人の予測される脚筋力データである最大脚伸展筋力／体重データを演算する。
【００３０】
なお、最大脚伸展筋力／体重データとは個人の最大脚伸展筋力（ｋｇ）をその個人の体重（ｋｇ）で除算したデータであって、体重１ｋｇ当たりの最大脚伸展筋力である。（脚伸展筋力とは股関節の伸展筋力と膝関節の伸展筋力を合成したものを意味する。）
【００３１】
データ処理手段５３における転倒年齢演算手段５３２は、前記脚筋力演算装置５３１が出力する最大脚伸展筋力／体重データと、使用者の身長、体重、年齢、性別などの個人データとから、転倒する可能性が増加する年齢である転倒年齢データを演算し、表示器５２に表示する。なお、実施例では、脚筋力演算装置５３１および転倒年齢演算手段５３２はソフトウエアの形で備えられているが他にハードウエアとして実現することも可能である。
【００３２】
なお、使用者の個人識別番号や使用者の身長、体重、年齢、性別からなる個人データの入力は、情報処理手段５０のキーボード５４を通じて行う以外に、たとえば通信機能付活動量計など個人データを記憶していて通信機能がある機器を用いて簡便に行うことも可能である。
【００３３】
次に、図４を用いて情報処理手段における表示器による表示例を説明する。図４に示すように情報処理手段５０の表示器５２には、使用者個人の識別番号と、個人データの一例と、測定された当日の握力値データと、月間平均握力値データと、最大脚伸展筋力／体重データであるＷＢＩ値（Ｗｅｉｇｈｔ  Ｂｅａｒｉｎｇ  Ｉｎｄｅｘ）と、転倒年齢とが表示される。なお、図４における表示画面には、前記した活動量計の歩数データも一例として表示されている。
【００３４】
以上述べたように、本発明に係る通信式握力計によれば、握力測定手段による握力値データを容易且つ正確に、しかも短時間でパソコン等の情報処理手段に送信することが可能であり、従来のように配線に邪魔されずに握力測定操作ができる。
【００３５】
また、本発明に係る脚筋力推定装置によった場合は、握力測定手段によって得られた握力値データと、被測定者の個人データから脚筋力を演算し、当該被測定者が転倒する可能性が増加する年齢である「転倒年齢」を演算してこれを表示器に表示できる便利な装置の提供が可能となる。
【符号の説明】
【００３６】
１：握力計
１ａ：グリップ部
１ｂ：連結部
１ｃ：歪みゲージ
１ｄ：配線
９：握力測定装置
２：演算制御手段
３：表示手段
９：握力測定装置
１００：通信式握力計および脚筋力推定装置
１０：通信式握力計
１２：握力測定手段
１２１：握力表示器
１２２：操作スイッチ
１３：可動ハンドル
１４：メモリ
１５：固定ハンドル
１６：通信手段
１８：電池
１９：通信式握力計凸部
５０：情報処理手段
５２：表示器
５３：データ処理手段
５３１：脚筋力演算装置
５３２：転倒年齢演算手段
５４：キーボード
５６：リーダライタ
６０：置台
６２：置台凹部
Ｗ：通信用磁界
Ａｖ：握力値データ
【図１】
2014221139.tif 000003
【図２】
2014221139.tif 000004
【図３】
2014221139.tif 000005
【図４】
2014221139.tif 000006
【図５】
2014221139.tif 000007